【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
撮影条件の設定が指示されると、予め定められた複数の撮影条件により仮撮影を行う撮影手段と、
前記仮撮影により得られた撮影画像に基づいて前記複数の撮影条件に応じたプレビュー画像をそれぞれ生成する画像生成手段と、
本撮影の撮影条件の選択候補として、複数の子画面上に前記複数のプレビュー画像を表示する表示手段と、
前記プレビュー画像により本撮影時の撮影条件を選択するための選択手段と、を備え、
前記撮影手段は、前記選択手段により選択されたプレビュー画像に対応する撮影条件で本撮影を行うことを特徴とする撮影装置。
【請求項２】
ブラケット撮影における複数の撮影条件の設定情報を入力するための入力手段と、
前記入力された撮影条件の設定情報に従って仮撮影を行う撮影手段と、
前記仮撮影により得られた撮影画像に基づいて前記複数の撮影条件に応じたプレビュー画像をそれぞれ生成する画像生成手段と、
本撮影の撮影条件の選択候補として、複数の子画面上に前記複数のプレビュー画像を表示する表示手段と、
前記プレビュー画像により本撮影時の撮影条件を一又は複数選択するための選択手段と、を備え、
前記撮影手段は、前記選択された一又は複数の撮影条件により本撮影を行うことを特徴とする撮影装置。
【請求項３】
前記表示手段は、表示画面全体に前記撮影手段により得られるスルー画像を表示し、
前記撮影手段は、前記選択手段によりプレビュー画像が選択された状態で本撮影が指示されると、本撮影を行うことを特徴とする請求項１又は２に記載の撮影装置。
【請求項４】
前記表示手段は、前記プレビュー画像と対応付けてその撮影条件の情報を表示することを特徴とする請求項１〜３の何れか一項に記載の撮影装置。
【請求項５】
前記表示手段は、前記選択手段により選択されたプレビュー画像に対して、本撮影を行うことを示す識別情報を表示することを特徴とする請求項１〜４の何れか一項に記載の撮影装置。
【請求項６】
前記プレビュー画像にその撮影条件に応じた画像処理を施す画像処理手段を備え、
前記表示手段は、前記画像処理が施されたプレビュー画像を表示することを特徴とする請求項１〜５の何れか一項に記載の撮影装置。
【請求項７】
撮影条件の設定が指示されると、予め定められた複数の撮影条件により仮撮影を行う撮影手段と、前記仮撮影により得られた撮影画像に基づいて前記複数の撮影条件に応じたプレビュー画像をそれぞれ生成する画像生成手段と、本撮影の撮影条件の選択候補として、複数の子画面上に前記複数のプレビュー画像を表示する表示手段と、を備える撮影装置のコンピュータを、
前記プレビュー画像により本撮影時の撮影条件を選択するための選択手段、
前記選択手段により選択されたプレビュー画像に対応する撮影条件で本撮影を行うよう前記撮影手段を制御する撮影制御手段、
として機能させるプログラム。
【請求項８】
ブラケット撮影における複数の撮影条件の設定情報を入力するための入力手段と、前記入力された撮影条件の設定情報に従って仮撮影を行う撮影手段と、前記仮撮影により得られた撮影画像に基づいて前記複数の撮影条件に応じたプレビュー画像をそれぞれ生成する画像生成手段と、本撮影の撮影条件の選択候補として、複数の子画面上に前記複数のプレビュー画像を表示する表示手段と、を備える撮影装置のコンピュータを、
前記プレビュー画像により本撮影時の撮影条件を一又は複数選択するための選択手段、
前記選択手段により選択された一又は複数の撮影条件により本撮影を行うよう前記撮影手段を制御する撮影制御手段、
として機能させるプログラム。
【手続補正２】
【補正対象書類名】明細書
【補正対象項目名】発明の名称
【補正方法】変更
【補正の内容】
【発明の名称】撮影装置及びプログラム
【手続補正３】
【補正対象書類名】明細書
【補正対象項目名】０００１
【補正方法】変更
【補正の内容】
【０００１】
本発明は、異なる撮影条件で撮影を行うことが可能な撮影装置及びプログラムに関する。
【手続補正４】
【補正対象書類名】明細書
【補正対象項目名】０００８
【補正方法】変更
【補正の内容】
【０００８】
請求項１記載の発明は、撮影条件の設定が指示されると、予め定められた複数の撮影条件により仮撮影を行う撮影手段と、前記仮撮影により得られた撮影画像に基づいて前記複数の撮影条件に応じたプレビュー画像をそれぞれ生成する画像生成手段と、本撮影の撮影条件の選択候補として、複数の子画面上に前記複数のプレビュー画像を表示する表示手段と、前記プレビュー画像により本撮影時の撮影条件を選択するための選択手段と、を備え、前記撮影手段は、前記選択手段により選択されたプレビュー画像に対応する撮影条件で本撮影を行うことを特徴とする。
請求項７記載の発明は、撮影条件の設定が指示されると、予め定められた複数の撮影条件により仮撮影を行う撮影手段と、前記仮撮影により得られた撮影画像に基づいて前記複数の撮影条件に応じたプレビュー画像をそれぞれ生成する画像生成手段と、本撮影の撮影条件の選択候補として、複数の子画面上に前記複数のプレビュー画像を表示する表示手段と、を備える撮影装置のコンピュータを、前記プレビュー画像により本撮影時の撮影条件を選択するための選択手段、前記選択手段により選択されたプレビュー画像に対応する撮影条件で本撮影を行うよう前記撮影手段を制御する撮影制御手段、として機能させる。
【手続補正５】
【補正対象書類名】明細書
【補正対象項目名】０００９
【補正方法】変更
【補正の内容】
【０００９】
請求項２記載の発明は、ブラケット撮影における複数の撮影条件の設定情報を入力するための入力手段と、前記入力された撮影条件の設定情報に従って仮撮影を行う撮影手段と、前記仮撮影により得られた撮影画像に基づいて前記複数の撮影条件に応じたプレビュー画像をそれぞれ生成する画像生成手段と、本撮影の撮影条件の選択候補として、複数の子画面上に前記複数のプレビュー画像を表示する表示手段と、前記プレビュー画像により本撮影時の撮影条件を一又は複数選択するための選択手段と、を備え、前記撮影手段は、前記選択された一又は複数の撮影条件により本撮影を行うことを特徴とする。
請求項８記載の発明は、ブラケット撮影における複数の撮影条件の設定情報を入力するための入力手段と、前記入力された撮影条件の設定情報に従って仮撮影を行う撮影手段と、前記仮撮影により得られた撮影画像に基づいて前記複数の撮影条件に応じたプレビュー画像をそれぞれ生成する画像生成手段と、本撮影の撮影条件の選択候補として、複数の子画面上に前記複数のプレビュー画像を表示する表示手段と、を備える撮影装置のコンピュータを、前記プレビュー画像により本撮影時の撮影条件を一又は複数選択するための選択手段、前記選択手段により選択された一又は複数の撮影条件により本撮影を行うよう前記撮影手段を制御する撮影制御手段、として機能させる。
【手続補正６】
【補正対象書類名】明細書
【補正対象項目名】００１０
【補正方法】変更
【補正の内容】
【００１０】
本発明によれば、仮撮影により得られた撮影画像に基づいて異なる複数の撮影条件を反映した複数のプレビュー画像を生成して表示し、プレビュー画像により選択された撮影条件により本撮影を行うので、ユーザはプレビュー画像により各撮影条件による撮影効果を確認した上で本撮影時の撮影条件を選択することができ、本撮影前に予め所望の撮影条件を選択することにより、必要な撮影のみを行うことができ、撮影効率を向上させることができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】